(57)【要約】      （修正有）【課題】煙草の代用品として使用する香りを楽しむ簡易パイプで、数時間使用した後に使い捨てができる香りタバコを提供する。【解決手段】アロマオイルなどの吸入できない香り成分を、香りタバコの先端２に、購入者が自分で香りミニ容器３から滴下して使用するように、香りタバコを入れた箱８に香り容器３を添付する組み合わせで香りタバコを構成する。なお、香りミニ容器３の代わりにゼラチンカプセルに香りを詰めた、香りカプセル６を添付して、香りタバコ購入者が自分で、香りタバコの先端２に取り付けて使用することもできる。【選択図】図７
0003173448.tif 000002
【実用新案登録請求の範囲】
【請求項１】
香りタバコ本体１に、香りミニ容器３を添付する組み合わせを特徴とする香りタバコ。
【請求項２】
香りタバコ本体１の外面周囲に、香り成分を浸透させることを特徴とする香りタバコ。
【請求項３】
香りタバコ本体１のフィルター部４に、ハーブエキスを浸透させることを特徴とする香りタバコ。
【請求項４】
香りタバコ本体１のフィルター部４に、清涼剤５を粘着させることを特徴とする香りタバコ。
【請求項５】
香りタバコ本体１に、香りカプセル７を添付する組み合わせを特徴とする香りタバコ。
【請求項６】
香りタバコの先端２に、香りカプセル６を取り付けることを特徴とする香りタバコ。
【請求項７】
香りタバコ本体１及びフィルター部４と香りカプセル６の、全体を安全安価な材質で作製し、短時間使用した後に容易に使い捨て廃棄できることを特徴とする香りタバコ。
【考案の詳細な説明】
【技術分野】
【０００１】  本考案は、節煙や禁煙を目的に、煙草の代用品として使用する簡易パイプで、香りを楽しむ香りタバコに関するものである。
【背景技術】
【０００２】  従来の煙草の代用として使用する簡易パイプは、パイプ本体内部に挿入した香り成分を口中に吸入するようになっている。【０００３】  しかしながらこのパイプは、アロマセラピー作用があるアロマオイルなど、口中に吸入できない香り成分は使用できない。
したがって、普通の香りを吸入しても精神的安定を得ることは少なく、同じパイプ本体を使用し続けるという難点もあり、購買意欲が減退するという欠点があった。
【先行技術文献】
【特許文献】
【０００４】
【特許文献１】登録実用新案第３０７６８４１号
【非特許文献】
【０００５】
【非特許文献１】発売元：マルマンバイオ、品名：禁煙パイポ、インターネット検索
【考案の概要】
【考案が解決しようとする課題】
【０００６】  本考案は、以上のような従来の欠点に鑑み、香り成分に有効な作用があるアロマオイルを使用できるようにして、芳香による精神的安定を強化した簡易パイプである。
さらに本考案の簡易パイプは、清涼剤とハーブエキスを用いて購買意欲を増加させるようにした、香りタバコを提供することを目的としている。
【課題を解決するための手段】
【０００７】  上記目的を達成するために、本考案は、図７のように箱８に添付した香りミニ容器３から、図４のように香りタバコの先端２に香りを滴下し、香りを嗅ぐだけにして多様なアロマセラピー作用がある多種類のアロマオイルを使用できるようにした。【０００８】  さらに、フィルター部４には間伐材を用い、直径を細くして口中を移動しやすく噛みやすくしている。その木製フィルター部４の繊維にハーブエキスを浸透させ、ハーブの多様な有効作用を期待できるようにした。
なおフィルター部４は、自然腐敗する薬草の茎やハーブ性を有する自然木そのものを成型して使用することもできる。【０００９】  またさらに、フィルター部４に図３のように清涼剤５を粘着させ、煙を吸入する代わりに清涼剤の味で口中を爽やかにして、煙が出なくても満足できるようにした。【００１０】  パイプ本体１は、紙あるいはゼラチンを筒状に成型したものを用い、全体を自然腐敗する安全安価な材質で作製して、１〜３時間使用するだけで廃棄できるようにした。
本考案は以上のようにして香りタバコを構成している。
【考案の効果】
【００１１】  以上の説明から明らかなように、本考案にあっては次に列挙する効果が得られる。
（１）請求項１のように、香りタバコの本体１の周囲や先端２に、図４のように香りミニ容器３から香りを成分を滴下し、鼻で嗅ぐように構成されているので、多種のアロマオイルを使える。したがって、集中力や記憶力を高めるなど多様な作用が期待できる。【００１２】（２）請求項２のように、香りタバコ本体１の外面周囲に、前もって香り成分を浸透させておいても（１）と同様の有効作用が期待できる。【００１３】（３）請求項３のように、木製のフィルター部４にハーブエキスを浸透させることで、フィルター部４を軽く噛んでハーブエキスの多様な有効作用と爽快感が得られる。
噛むという動作は、脳を活性化させ集中力を高め食欲を抑える作用があり、動脈硬化を抑制するシナモン、食後の消化にアロエ、気管支にシソの実などの油が使用できる。【００１４】（４）また請求項４のように、香りタバコ本体１のフィルター部４に粘着させた清涼剤５で爽快感を味わい、溶解した後さらに前記（３）の爽快感が得られる。煙草のような煙は吸入できないが、清涼剤５の味の変化によりニコチンよりも口中を爽やかにする。
また、清涼剤５の代わりにシュガーレス喉飴などを用いて多様な変化を演出できる。
このように、前記（１）の香りと前記（３）のハーブエキスと、噛む効果にこの清涼剤との四つの相乗効果で購買意欲が高まる。【００１５】（５）請求項５は、香りミニ容器３の代わりに、図５のように複数個の香りカプセル６を箱８に添付し、香りタバコ購入者が自分で先端２に取り付け、香りカプセルのフタ７をライターの火で焼く、あるいはボールペンの先で突き、孔を開けて使用する。
したがって、前記（１）と同様の効果が期待できる。【００１６】（６）請求項６は、図６のように香りタバコの先端２に、前もって香りカプセル６を取り付けたものを販売する。前記（５）と同様にして孔を開け、同様の効果が期待できる。【００１７】（７）請求項７のように、自由に廃棄できる、使い捨てができるという特徴が本考案の重要な部分である。従来の簡易パイプは短時間で使い捨てにする形態ではなく、本考案のように、廃棄して新たに新品を取り出して楽しむ新鮮さが、最も購買意欲を高める。
【図面の簡単な説明】
【００１８】
【図１】本考案の香りタバコを、香りタバコ本体１とフィルター部４を分解した説明側面図である。
【図２】香りタバコ本体１とフィルター部４を組み合わせた、本考案を実施するための最良の第一の形態の側面図である。
【図３】フィルター部４に清涼剤５を粘着させた、本考案を実施するための第二の形態の側面図である。
【図４】香りタバコの先端２に、香りミニ容器３から香り成分を滴下して使用する、本考案を実施するための第三の形態の斜視説明図である。
【図５】本考案の香りタバコを、香りタバコ本体１と香りカプセル６を分解した説明側面図である。
【図６】香りタバコの本体１と香りカプセル６を組み合わせた、本考案を実施するための第四の形態の側面図である。
【図７】箱８に香りタバコ十本を入れて、香りミニ容器３または香りカプセル６を十個添付する説明図である。
【考案を実施するための形態】
【００１９】以下、本考案の実施の形態を図に基づいて説明する。
【実施例１】
【００２０】  図２は、本考案の実施例１の側面図であって、図１に示すように木製のフィルター部４にハーブエキスを浸透させ、紙製の香りタバコ本体１に香り成分を浸透させている。
【実施例２】
【００２１】  図３は、本考案の実施例２の側面図であって、図２の実施例１に示す木製フィルター部４に清涼剤５を粘着させたものである。
清涼剤５の代わりに、シュガーレス喉飴を使用し、多様な味を提供することがきる。
木製のフィルター部４の表面周囲に、数個の小さい溝や孔を設けておけば、喉飴の味がフィルター内部に浸透して、表面の喉飴が消失した後も味が持続する。
【実施例３】
【００２２】  図４は、本考案の実施例３の斜視説明図であって、添付する香りミニ容器３の香り成分を香りタバコ本体１や先端２に滴下して使用する。
【実施例４】
【００２３】  図６は本考案の実施例４の側面図であって、図５に示すように、香りタバコの先端２に香りカプセル６を取り付けたものである。図７のように、香りカプセル６を添付し、購入者がパイプの先端２に香りカプセル６を押し込み、香りカプセルのフタ７をボールペンの先で突いたり、ライターの火で焼いて孔を開けて使用する。
【産業上の利用可能性】
【００２４】  本考案の、香りタバコの部品として使用している、細く丸い木製フイルター部４は、木工機械により半自動製造できる。したがって木工産業で利用される。【００２５】  本考案の、香りタバコ本体１の細い紙筒は、機械により半自動製造されていて、紙筒製造産業で利用される。【００２６】  本考案で使用する香り成分やハーブエキスは、自然の薬草や香木から抽出されたり、人工的に多種多様な香りが製造されているように、アロマイルオ産業で利用される。【００２７】  本考案で使用する清涼剤５は、製菓として小さい錠剤にしたものが販売され、細いプラスチックの棒の先に粘着させた飴も販売されているように、製菓産業で利用される。【００２８】  本考案に使用する、香りカプセル６とカプセルのフタ７は、薬剤カプセルのような食用ゼラチンを材料にしていて、ゼラチンカプセル製造産業で利用される。【００２９】  本考案に添付する香りミニ容器３は、駅弁に添付される醤油ミニ容器のように、プラスチック容器産業で利用される。【００３０】  なお、各部品の組み立ては簡単容易であり、手作業で組み立てられて本考案の香りタバコが完成する。したがって、喫煙器具産業で利用される。
【符号の説明】
【００３１】１  香りタバコ本体
２  香りタバコの先端
３  香りミニ容器
４  フィルター部
５  清涼剤
６  香りカプセル
７  カプセルのフタ
８  箱
【図１】
0003173448.tif 000003
【図２】
0003173448.tif 000004
【図３】
0003173448.tif 000005
【図４】
0003173448.tif 000006
【図５】
0003173448.tif 000007
【図６】
0003173448.tif 000008
【図７】
0003173448.tif 000009